(57)【要約】      （修正有）【課題】スループットの低下を軽減する基地局装置、端末装置、無線通信システム及び周波数調整方法を提供する。【解決手段】基地局装置は、ＲＲＨ２１及びＲＲＨ２２であり、情報取得部及び周波数制御部を有する。ＲＲＨ２１は、ＲＲＨ２１内部の発振器を用いて生成した信号を送信する。ＲＲＨ２２は、ＲＲＨ２２内部の発振器を用いて生成した信号を送信する。情報取得部は、ＲＲＨ２１及びＲＲＨ２２からの信号におけるそれぞれの周波数偏差の情報をＲＲＨ２１及びＲＲＨ２２が形成するセル２３及びセル２４の重複領域にあるＵＥ３１またはＵＥ３２と通信を行い取得する。周波数制御部は、情報取得部により取得された周波数偏差に関する情報を基に、ＲＲＨ２１、ＲＲＨ２２の内部の発振器の周波数を調整する。【選択図】図１
2018061098.tif 000002
【特許請求の範囲】
【請求項１】
第１の発振器を用いて生成した信号を送信する第１の信号送信部と、
第２の発振器を用いて生成した信号を送信する第２の信号送信部と、
前記第１の信号送信部及び前記第２の信号送信部からの信号におけるそれぞれの周波数偏差の情報を取得する情報取得部と、
前記情報取得部により取得された前記周波数偏差に関する情報を基に、前記第１の発振器の周波数を調整する周波数制御部と
を備えたことを特徴とする基地局装置。
【請求項２】
前記第１の信号送信部及び前記第２の信号送信部は、重複領域を有し、前記重複領域に在圏する端末装置に対して、前記第１の信号送信部又は前記第２の信号送信部のうちどちらか一方で信号を送信することを特徴とする請求項１に記載の基地局装置。
【請求項３】
前記周波数制御部は、前記周波数偏差が一致するように前記第１の発振器の周波数を調整することを特徴とする請求項１又は２に記載の基地局装置。
【請求項４】
前記情報取得部は、予め決められたシンボルパターン及び前記第１の信号送信部より送信される信号に含まれるシンボルパターンを基に算出された前記第１の信号送信部より送信された信号に関する周波数偏差の情報を前記第１の信号送信部より送信された信号を受信可能な端末装置から取得することを特徴とする請求項１〜３のいずれか一つに記載の基地局装置。
【請求項５】
前記第１の信号送信部は、入力された信号に対して前記第１の発振器の周波数を用いて変調を行うことで送信する信号を生成し、
前記第２の信号送信部は、入力された信号に対して前記第２の発振器の周波数を用いて変調を行うことで送信する信号を生成する
ことを特徴とする請求項１〜４のいずれか一つに記載の基地局装置。
【請求項６】
第１の発振器を用いて生成した第１の送信信号及び第２の発振器を用いて生成した第２の送信信号を受信する受信部と、
前記受信部により受信された前記第１の送信信号及び前記第２の送信信号に含まれるシンボルパターン及び予め決められたシンボルパターンを基にそれぞれの送信信号に対して周波数偏差を算出する周波数偏差算出部と、
前記周波数偏差算出部により算出されたそれぞれの前記周波数偏差の情報を基地局装置へ送信する送信部と
を備えたことを特徴とする端末装置。
【請求項７】
基地局装置及び端末装置を有する無線通信システムであって、
前記基地局装置は、
第１の発振器を用いて生成した信号を送信する第１の信号送信部と、
第２の発振器を用いて生成した信号を送信する第２の信号送信部と、
前記第１の信号送信部及び前記第２の信号送信部からの信号におけるそれぞれの周波数偏差の情報を取得する情報取得部と、
前記情報取得部により取得された前記周波数偏差に関する情報を基に、前記第１の発振器の周波数を調整する周波数制御部とを備え
前記端末装置は、
前記第１の信号送信部及び前記第２の信号送信部からの信号を受信する受信部と、
前記受信部により受信された信号に含まれるシンボルパターン及び予め決められたシンボルパターンを基に周波数偏差を算出する周波数偏差算出部と、
前記周波数偏差算出部により算出された前記周波数偏差を前記基地局装置へ送信する送信部とを備えた
ことを特徴とする無線通信システム。
【請求項８】
第１の発振器を用いて生成した第１の信号を送信し、
第２の発振器を用いて生成した第２の信号を送信し、
送信した前記第１の信号及び前記第２の信号におけるそれぞれの周波数偏差の情報を取得し、
取得された各前記周波数偏差の情報を基に、前記第１の発振器の周波数を調整する
ことを特徴とする周波数調整方法。
【発明の詳細な説明】
【技術分野】
【０００１】
本発明は、基地局装置、端末装置、無線通信システム及び周波数調整方法に関する。
【背景技術】
【０００２】
基地局装置（ｅＮＢ：evolved  Node  B）は、例えば、１台のＢＢＵ（Base  Band  Unit）及び複数台のＲＲＨ（Remote  Radio  Head）を有する。ＢＢＵは、ベースバンド信号処理及びコアネットワークとの接続であるＳ１回線の終端処理を行う装置である。また、ＲＲＨは、無線信号の送受信を行う装置である。
【０００３】
ＢＢＵは、共通制御（ＣＮＴ：common  CoNTroller）部及びベースバンド部を有する。共通制御部は、ＩＰ（Internet  Protocol）レイヤの処理及び呼制御を行う。また、ベースバンド部は、ＲＬＣ（Radio  Link  Control）レイヤ、ＰＤＣＰ（Packet  Data  Convergence  Protocol）レイヤ、ＭＡＣ（Medium  Access  Control）レイヤ及びＰＨＹ（PHYsical）レイヤの各レイヤにおける信号処理を行う。
【０００４】
ＲＲＨは、送受信（ＴＲＸ：Transmit  and  Receiver）部及び増幅（ＡＭＰ：AMPlifier）部を有する。送受信部は、送信信号のＤＡ（Digital  Analog）変換及び受信信号のＡＤ（Analog  Digital）変換といった無線信号に対する処理を行う。増幅部は、無線信号の送信電力の増幅を行う。
【０００５】
そして、ＬＴＥ−Ａ（Long  Term  Evolution-A）を用いた通信システムでは、セル端で発生する干渉を解消し、下りのスループットを改善するために、多地点協調（ＣｏＭＰ：Coordinated  MultiPoint）の導入が検討されている。ＣｏＭＰとは、基地局装置間で強調してデータの送受信を行い隣接するセルからの干渉を低減させ、且つ、複数のセルから特定の端末装置（ＵＥ：User  Equipment）に対してデータを送受信することで、セル境界でのスループットを向上させる技術である。さらに、ＣｏＭＰの機能の１つとしてＤＰＳ（Dynamic  Point  Selection）という機能がある。ＤＰＳとは、基地局装置側が複数の送信アンテナを制御し、最も条件の良いアンテナを用いて端末装置へデータを送信する技術である。この送信アンテナは、送信ポイントとも呼ばれ、例えばＲＲＨを指す。
【０００６】
ここで、複数の基地局装置と端末装置との間の通信の技術として、複数の基地局装置の送信タイミングや送信搬送波周波数などの同期制御を行い、伝送品質の劣化を軽減する従来技術がある。また、ＣＤＭＡ通信システムの端末装置において、複数の基地局装置との同時通信時に、指定した基地局装置に対して周波数追従を行う従来技術がある。
【先行技術文献】
【特許文献】
【０００７】
【特許文献１】特開２０１４−２２８３４号公報
【特許文献２】特開２００６−１１５２０６号公報
【発明の概要】
【発明が解決しようとする課題】
【０００８】
しかしながら、ＬＥＴやＬＴＥ−Ａを用いた通信システムにおける基地局装置では、ＤＰＳを用いた場合に、端末装置に対する送信ポイントが切り替わった場合に、下りスループットが低下する場合がある。下りスループットが低下する原因として、複数のＲＲＨの内部ローカル発振器が同期していない状態のため、端末装置側で復調したシンボル点が異なることが考えられる。すなわち、送信ポイントがあるＲＲＨから他のＲＲＨに切り替わった場合に、端末装置側の自動周波数制御（ＡＦＣ：Automatic  Frequency  Control）を切り替わり先のＲＲＨに追従させるまでの期間にスループットの低下が生じる。
【０００９】
また、複数の基地局装置の送信タイミングや送信搬送波周波数などの同期制御を行う従来技術を用いても、ＲＲＨの切り替え時における自動周波数制御にかかる時間は短縮することは困難であり、スループットの低下が生じるおそれがある。また、指定した基地局装置に対して周波数追従を行う従来技術を用いても、ＲＲＨの切り替え時には他の基地局に対する自動周波数制御を開始することになり、スループットの低下が生じるおそれがある。
【００１０】
開示の技術は、上記に鑑みてなされたものであって、スループットの低下を軽減する基地局装置、端末装置、無線通信システム及び周波数調整方法を提供することを目的とする。
【課題を解決するための手段】
【００１１】
本願の開示する基地局装置、端末装置、無線通信システム及び周波数調整方法の一つの態様において、第１の信号送信部は、第１の発振器を用いて生成した信号を送信する。第２の信号送信部は、第２の発振器を用いて生成した信号を送信する。情報取得部は、前記第１の信号送信部及び前記第２の信号送信部からの信号におけるそれぞれの周波数偏差の情報を取得する。周波数制御部は、前記情報取得部により取得された前記周波数偏差に関する情報を基に、前記第１の発振器の周波数を調整する。
【発明の効果】
【００１２】
本願の開示する基地局装置、端末装置、無線通信システム及び周波数調整方法の一つの態様によれば、スループットの低下を軽減することができるという効果を奏する。
【図面の簡単な説明】
【００１３】
【図１】図１は、実施例に係る無線通信システムの構成図である。
【図２】図２は、実施例に係るＲＲＨのブロック図である。
【図３】図３は、実施例に係るＢＢＵのブロック図である。
【図４】図４は、リファレンスシンボルのマッピングを説明するための図である。
【図５】図５は、実施例に係る端末装置のブロック図である。
【図６】図６は、位相調整前の周波数偏差を説明するための図である。
【図７】図７は、位相調整後のマスタ端末装置における周波数偏差を説明するための図である。
【図８】図８は、位相調整後のマスタ端末装置以外の周波数偏差を説明するための図である。
【図９】図９は、実施例に係る無線通信システムにおけるローカル発振器の出力周波数の制御のシーケンス図である。
【発明を実施するための形態】
【００１４】
以下に、本願の開示する基地局装置、端末装置、無線通信システム及び周波数調整方法の実施例を図面に基づいて詳細に説明する。なお、以下の実施例により本願の開示する基地局装置、端末装置、無線通信システム及び周波数調整方法が限定されるものではない。
【００１５】
図１は、実施例に係る無線通信システムの構成図である。図１に示すように、本実施例に係る無線通信システム１は、ＢＢＵ１０、ＲＲＨ２１及び２２、端末装置（ＵＥ：User  Equipment）３１及び３２、並びに、ＥＰＣ４０を有する。ＢＢＵ１０、並びに、ＲＲＨ２１及び２２を有する装置が、「基地局装置」の一例にあたる。
【００１６】
ＥＰＣ（Evolved  Packet  Core）４０は、ＬＴＥ及びＬＴＥ−Ａなどを集約するコアネットワークである。ＥＰＣ４０は、端末の認証や基地局間の通信の中継などを行う。
【００１７】
ＢＢＵ１０は、データ送信の場合、送信データをＥＰＣ４０から受信する。また、データ受信の場合、ＢＢＵ１０は、受信データをＲＲＨ２１又は２２から受信する。そして、ＢＢＵ１０は、受信した信号にベースバンド処理を施す。また、ＢＢＵ１０は、ＥＰＣ４０との接続回線であるＳ１回線の終端処理を行う。ＢＢＵ１０については後で詳細に説明する。
【００１８】
ＲＲＨ２１は、セル２３を形成する。また、ＲＲＨ２２は、セル２４を形成する。セル２３とセル２４とは重複領域を有する。ＲＲＨ２１及び２２は、ＤＰＳを用いた多地点協調による通信を行う。ＲＲＨ２１及び２２は、端末装置３１又は３２との間で無線信号の送受信を行う。そして、ＲＲＨ２１及び２２は、無線信号処理を行う。ＲＲＨ２１及び２２は、同様の機能を有するので、以下では、それぞれを区別しない場合、ＲＲＨ２０という。ＲＲＨ２０については後で詳細に説明する。また、ここでは、ＤＰＳによる通信を行うための送信ポイントとしてＲＲＨ２１及び２２の２つを用いたが、ＤＰＳによる通信は３つ以上のＲＲＨ２０を用いてもよい。その場合、以下に説明するローカル発振器の出力周波数の調整は、ＤＰＳによる通信を行う全てのＲＲＨ２０に対して実行される。このＲＲＨ２１が、「第１の信号送信部」の一例にあたる。また、ＲＲＨ２２が、「第２の信号送信部」の一例にあたる。
【００１９】
端末装置３１及び３２は、ＲＲＨ２０に接続し、接続したＲＲＨ２０との間で無線信号の送受信を行う。端末装置３１及び３２は、同様の機能を有するので、以下では、それぞれを区別しない場合、端末装置３０という。
【００２０】
次に、図２を参照して本実施例に係るＲＲＨ２０の詳細について説明する。図２は、実施例に係るＲＲＨのブロック図である。
【００２１】
ＲＲＨ２０は、図２に示すように、ＤＡコンバータ２１１、ミキサ２１２、フィルタ２１３、及びパワーアンプ２１４を有する。また、ＲＲＨ２０は、低ノイズアンプ２２１、フィルタ２２２、ミキサ２２３及びＡＤコンバータ２２４を有する。さらに、ＲＲＨ２０は、周波数制御部２０１、ローカル発振器２０２及びデュプレクサ２３１を有する。
【００２２】
ＤＡコンバータ２１１は、ベースバンド信号の入力をＢＢＵ１０から受ける。そして、ＤＡコンバータ２１１は、受信したデジタル信号であるベースバンド信号をアナログ信号に変換する。その後、ＤＡコンバータ２１１は、アナログ信号に変換したベースバンド信号をミキサ２１２へ出力する。
【００２３】
ミキサ２１２は、アナログ信号に変換されたベースバンド信号の入力をＤＡコンバータ２１１から受ける。ここで、ＤＡコンバータ２１１からミキサ２１２が取得した信号は、ＯＦＤＭ（Orthogonal  Frequency  Division  Multiplexing）信号である。また、ミキサ２１２は、ローカル発振器２０２の出力周波数を受信する。そして、ミキサ２１２は、ベースバンド信号にローカル発振器２０２の出力周波数を混合して直交変調を行うことでＲＦ（Radio  Frequency）信号を生成する。そして、ミキサ２１２は、生成したＲＦ信号をフィルタ２１３へ出力する。ＲＲＨ２１におけるローカル発振器２０２が、「第１の発振器」の一例にあたる。ＲＲＨ２２におけるローカル発振器２０２が、「第２の発振器」の一例にあたる。
【００２４】
フィルタ２１３は、ミキサ２１２が生成したＲＦ信号の入力を受ける。そして、フィルタ２１３は、取得したＲＦ信号に対してフィルタ処理を施し、予め決められた周波数帯のＲＦ信号をパワーアンプ２１４へ出力する。
【００２５】
パワーアンプ２１４は、ＲＦ信号の入力をフィルタ２１３から受ける。そして、パワーアンプ２１４は、取得したＲＦ信号を増幅する。その後、パワーアンプ２１４は、増幅した信号をデュプレクサ２３１へ出力する。
【００２６】
デュプレクサ２３１は、送信アンテナ及び受信アンテナをアンテナ２３２として共用するためのアンテナ共用器である。デュプレクサ２３１は、端末装置３０へ送信するＲＦ信号の入力をパワーアンプ２１４から受ける。そして、デュプレクサ２３１は、取得したＲＦ信号をアンテナ２３２を介して端末装置３０へ送信する。また、デュプレクサ２３１は、端末装置３０からの受信信号であるＲＦ信号をアンテナ２３２を介して受信する。そして、デュプレクサ２３１は、受信したＲＦ信号を低ノイズアンプ２２１へ出力する。
【００２７】
低ノイズアンプ２２１は、ＲＦ信号の入力をデュプレクサ２３１から受ける。このアンテナ２３２で受信されたＲＦ信号は微弱電波である。そこで、低ノイズアンプ２２１は、取得したＲＦ信号を増幅する。そして、低ノイズアンプ２２１は、増幅したＲＦ信号をフィルタ２２２へ出力する。
【００２８】
フィルタ２２２は、低ノイズアンプ２２１により増幅されたＲＦ信号の入力を受ける。そして、フィルタ２２２は、取得したＲＦ信号に対してフィルタ処理を施し、予め決められた周波数帯のＲＦ信号をミキサ２２３へ出力する。
【００２９】
ミキサ２２３は、ＲＦ信号の入力をフィルタ２２２から受ける。また、ミキサ２２３は、ローカル発振器２０２の出力周波数を受信する。そして、ミキサ２２３は、ＲＦ信号にローカル発振器２０２の出力周波数を混合して直交復調を行うことでベースバンド信号を生成する。そして、ミキサ２２３は、生成したベースバンド信号をＡＤコンバータ２２４へ出力する。
【００３０】
ＡＤコンバータ２２４は、ベースバンド信号の入力をミキサ２２３から受ける。そして、ＡＤコンバータ２２４は、取得したアナログ信号であるベースバンド信号をデジタル信号に変換する。その後、ＡＤコンバータ２２４は、デジタル信号に変換したベースバンド信号をＢＢＵ１０へ出力する。
【００３１】
ローカル発振器２０２は、所定の周波数を有する振動を発生する。ローカル発振器２０２が発生する出力周波数は、周波数制御部２０１の制御により変更される。
【００３２】
周波数制御部２０１は、ローカル発振器２０２の出力周波数の制御情報を後述するＢＢＵ１０の制御情報通知部１０３から受信する。ここで、制御情報には、保持、増加及び減少の指示が含まれる。制御情報は、例えば、周波数制御部２０１がＢＢＵ１０から受信する信号の特定のビットにより増減又は保持が表される。
【００３３】
周波数制御部２０１は、制御情報が保持の場合、ローカル発振器２０２の出力周波数をそのままの状態に保持する。また、制御情報が増加の場合、周波数制御部２０１は、ローカル発振器２０２の出力周波数の位相を予め決められた量だけ増加させる。また、制御情報が減少の場合、周波数制御部２０１は、ローカル発振器２０２の出力周波数の位相を予め決められた量だけ減少させる。以下では、周波数制御部２０１が１回の制御で増減させる位相の量を、「１ステップ分の量」という。また、周波数制御部２０１は、例えば、ローカル発振器２０２の出力周波数の制御を１０ｍｓ間隔で行う。
【００３４】
周波数制御部２０１は、例えば、ＲＲＨ２０に搭載されたＣＰＵ（Central  Processing  Unit）及びメモリによって実現される。例えば、メモリは、周波数制御部２０１の機能を実現するプログラムを含む各種を格納する。そして、ＣＰＵは、メモリに格納された各種プログラムを読み出し実行することで、周波数制御部２０１の機能を実現する。
【００３５】
次に、図３を参照して本実施例に係るＢＢＵ１０の詳細について説明する。図３は、実施例に係るＢＢＵのブロック図である。
【００３６】
ＢＢＵ１０は、図３に示すように、ベースバンド送信部１０１、ベースバンド受信部１０２、制御情報通知部１０３及び送信ポイント管理部１０４を有する。
【００３７】
ベースバンド送信部１０１は、信号変調部１１１、サブキャリアマッピング部１１２及び１１３、ＣＰ（Cycle  Prefix）挿入部１１４及び１１５、並びに、ＩＦＦＴ（Inverse    Fast  Fourier  Transform）部１１６及び１１７を有する。サブキャリアマッピング部１１２、ＣＰ挿入部１１４及びＩＦＦＴ部１１６は、ＲＲＨ２１へ送信する信号を処理する経路であり、サブキャリアマッピング部１１３、ＣＰ挿入部１１５及びＩＦＦＴ部１１７は、ＲＲＨ２２へ送信する信号を処理する経路である。それらは、同じ機能を有するので、サブキャリアマッピング部１１２、ＣＰ挿入部１１４及びＩＦＦＴ部１１６を例に説明する。
【００３８】
信号変調部１１１は、ＩＰ（Internet  Protocol）パケットといった信号をＥＰＣ４０から受信する。そして、信号変調部１１１は、受信した信号に対して変調を施してＯＦＤＭ信号であるベースバンド信号を生成する。その後、信号変調部１１１は、生成したベースバンド信号をサブキャリアマッピング部１１２及び１１３へ出力する。
【００３９】
サブキャリアマッピング部１１２は、ベースバンド信号の入力を信号変調部１１１から受ける。そして、サブキャリアマッピング部１１２は、取得したベースバンド信号を送信するための無線リソースを決定する。そして、サブキャリアマッピング部１１２は、決定した無線リソースにベースバンド信号をマッピングする。
【００４０】
また、サブキャリアマッピング部１１２は、周波数偏差を求めるためのリファレンスシンボルのマッピング位置を表すリファレンスシンボルパターンをＲＲＨ２０毎に予め有する。図４は、リファレンスシンボルのマッピングを説明するための図である。図４のリファレンスシンボルパターン１３１〜１３４は、それぞれ異なるＲＲＨ２０に対するリファレンスシンボルのマッピング位置を表す。すなわち、図４は、４台のＲＲＨ２０がＢＢＵ１０に接続されている場合を表す。例えば、ＲＲＨ２１に対するリファレンスシンボルのマッピング位置が、リファレンスシンボルパターン１３１であり、ＲＲＨ２２に対するリファレンスシンボルのマッピング位置が、リファレンスシンボルパターン１３２である。
【００４１】
リファレンスシンボルパターン１３１〜１３４は、それぞれ縦方向が周波数を表し、横方向がサブフレームを表す。リファレンスシンボルパターン１３１〜１３４は、それぞれ１サブフレーム分のパターンを表す。そして、リファレンスシンボルパターン１３１〜１３４においてグレーアウトされている無線リソースがリファレンスシンボルの配置可能な無線リソースである。
【００４２】
そして、リファレンスシンボルパターン１３１では、Ｒ０と記載された無線リソースがリファレンスシンボルのマッピング位置である。リファレンスシンボルパターン１３２では、Ｒ１と記載された無線リソースがリファレンスシンボルのマッピング位置である。リファレンスシンボルパターン１３３では、Ｒ２と記載された無線リソースがリファレンスシンボルのマッピング位置である。リファレンスシンボルパターン１３４では、Ｒ３と記載された無線リソースがリファレンスシンボルのマッピング位置である。このように、各リファレンスシンボルパターン１３１〜１３４間で、リファレンスシンボルの位置が重ならないようにリファレンスシンボルが配置される。
【００４３】
サブキャリアマッピング部１１２は、予め決められたリファレンスシンボルパターンにしたがって、ＲＲＨ２０毎にリファレンスシンボルをマッピングする。例えば、リファレンスシンボルパターン１３１がＲＲＨ２１に対するパターンの場合、サブキャリアマッピング部１１２は、ＲＲＨ２１へ送信する信号のリファレンスシンボルパターン１３１で示される無線リソースにリファレンスシンボルをマッピングする。
【００４４】
サブキャリアマッピング部１１２は、無線リソースをマッピングしたベースバンド信号をＣＰ挿入部１１４へ出力する。ここで、リファレンスシンボルをマッピングした場合、サブキャリアマッピング部１１２は、リファレンス信号がマッピングされたベースバンド信号をＣＰ挿入部１１４へ出力する。
【００４５】
ＣＰ挿入部１１４は、ベースバンド信号の入力をサブキャリアマッピング部１１２から受ける。そして、ＣＰ挿入部１１４は、冗長データ系列であるＣＰをベースバンド信号に挿入する。その後、ＣＰ挿入部１１４は、ＣＰを挿入したベースバンド信号をＩＦＦＴ部１１６へ出力する。
【００４６】
ＩＦＦＴ部１１６は、ベースバンド信号の入力をＣＰ挿入部１１４から受ける。そして、ＩＦＦＴ部１１６は、取得したベースバンド信号に逆フーリエ変換処理を施す。その後、ＩＦＦＴ部１１６は、ベースバンド信号をＲＲＨ２１へ送信する。ただし、ＩＦＦＴ部１１７は、ベースバンド信号をＲＲＨ２２へ出力する。
【００４７】
ベースバンド受信部１０２は、ＦＦＴ部１２１及び１２２、ＣＰ除去部１２３及び１２４、並びに、信号復調部１２５を有する。ＦＦＴ部１２１及びＣＰ除去部１２３は、ＲＲＨ２１から受信した信号を処理する経路であり、ＦＦＴ部１２２及びＣＰ除去部１２４は、ＲＲＨ２２から受信した信号を処理する経路である。それらは、同じ機能を有するので、ＦＦＴ部１２１及びＣＰ除去部１２３を例に説明する。
【００４８】
ＦＦＴ部１２１は、ベースバンド信号をＲＲＨ２１から受信する。ただし、ＦＦＴ部１２２は、ベースバンド信号をＲＲＨ２２から受信する。そして、ＦＦＴ部１２１は、受信したベースバンド信号にフーリエ変換処理を施す。その後、ＦＦＴ部１２１は、ベースバンド信号をＣＰ除去部１２３へ出力する。
【００４９】
ＣＰ除去部１２３は、ベースバンド信号の入力をＦＦＴ部１２１から受ける。そして、ＣＰ除去部１２３は、取得したベースバンド信号からＣＰを除去する。そして、ＣＰ除去部１２３は、ＣＰを除去したベースバンド信号を信号復調部１２５へ出力する。
【００５０】
信号復調部１２５は、ベースバンド信号の入力をＣＰ除去部１２３及び１２４から受ける。そして、信号復調部１２５は、取得したベースバンド信号に対して復調を施してＩＰパケットなどの信号を生成する。そして、信号復調部１２５は、生成した信号をＥＰＣ４０へ送信する。
【００５１】
制御情報通知部１０３は、位相調整の基準とする端末装置３０であるマスタ端末装置が決定済みであるか否かを判定する。未決定の場合、制御情報通知部１０３は、端末装置３０の中からマスタ端末装置を１台選択する。例えば、制御情報通知部１０３は、各端末装置３０に割り当てられた識別番号であるＣ−ＲＡＮＴＩ（Cell-RAdio  Network  Temporary  Identifier）番号が最若番の端末装置３０をマスタ端末装置とする。ここで、マスタ端末装置が未決定の場合には、マスタ端末装置として選択した端末装置３０との間の呼が切断された場合も含まれる。
【００５２】
次に、制御情報通知部１０３は、ＲＳＳＩ（Received  Signal  Strength  Indication）の閾値を予め有する。そして、制御情報通知部１０３は、マスタ端末装置から受信した信号のＲＳＳＩが閾値未満か否かを判定する。ＲＳＳＩが閾値未満の場合、制御情報通知部１０３は、無線品質が劣化して情報の判別が難しいと判定し、出力周波数の位相の保持を決定する。そして、制御情報通知部１０３は、保持をＢＢＵ１０に接続する全てのＲＲＨ２０の周波数制御部２０１に通知する。
【００５３】
これに対して、ＲＳＳＩが閾値以上の場合、制御情報通知部１０３は、マスタ端末装置の周波数偏差の情報を取得する。例えば、制御情報通知部１０３は、マスタ端末装置から送信されたアップリンクのＰＵＳＣＨ（Physical  Uplink  Shared  Channel）の信号を信号復調部１２５から取得する。そして、制御情報通知部１０３は、ＰＵＳＣＨの信号の中の予め決められたリソースブロックにマッピングされた、ＩＱデータで表されるマスタ端末装置の周波数偏差の情報を取得する。そして、制御情報通知部１０３は、周波数偏差の情報として取得した、保持、増加又は減少の指示をＢＢＵ１０に接続する全てのＲＲＨ２０の周波数制御部２０１に通知する。
【００５４】
制御情報通知部１０３は、マスタ端末装置から送信される周波数偏差情報を用いて、ローカル発振器２０２の出力周波数の調整をＲＲＨ２０の周波数制御部２０１に繰り返させる。これにより、制御情報通知部１０３は、周波数偏差情報としてマスタ端末装置から取得した信号の位相が保持と決定される状態になるようにＲＲＨ２０の周波数制御部２０１に制御を行わせる。
【００５５】
制御情報通知部１０３は、例えば、ＢＢＵ１０に搭載されたＣＰＵ及びメモリによって実現される。例えば、メモリは、制御情報通知部１０３の機能を実現するプログラムを含む各種を格納する。そして、ＣＰＵは、メモリに格納された各種プログラムを読み出し実行することで、制御情報通知部１０３の機能を実現する。この制御情報通知部１０３が、「情報取得部」の一例にあたる。
【００５６】
送信ポイント管理部１０４は、各端末装置３０との通信において最も条件のよいＲＲＨ２０を送信ポイントとして決定し、送信ポイントとして決定したＲＲＨ２０の情報を信号変調部１１１へ通知する。例えば、以下のような方法で、送信ポイント管理部１０４は、送信ポイントの決定を行う。
【００５７】
送信ポイント管理部１０４は、送信ポイント切り替えのための通信品質の閾値を予め有する。そして、送信ポイント管理部１０４は、各端末装置３０からの送信信号のＲＳＳＩなどにより、各端末装置３０との間の通信品質の情報を取得する。次に、送信ポイント管理部１０４は、通信品質が閾値未満である端末装置３０を特定する。その後、送信ポイント管理部１０４は、特定した端末装置３０に対する各ＲＲＨ２０との間の通信品質の情報を取得する。次に、送信ポイント管理部１０４は、特定した端末装置３０との間の通信品質が最も良いＲＲＨ２０を送信ポイントとして選択する。そして、送信ポイント管理部１０４は、送信ポイントとして選択したＲＲＨ２０の情報をそのＲＲＨ２０を送信ポイントとすることを決定した端末装置３０の情報とともに信号変調部１１１へ出力する。ただし、送信ポイントの決定方法はこれに限らず、送信ポイント管理部１０４は、各端末装置３０との通信において最も条件のよいＲＲＨ２０を選択する方法であれば他の方法を用いることもできる。
【００５８】
次に、図５を参照して、本実施例に係る端末装置３０の詳細について説明する。図５は、実施例に係る端末装置のブロック図である。図５に示すように、端末装置３０は、ベースバンド受信部３０１、ベースバンド送信部３０２、周波数偏差算出部３０３を有する。
【００５９】
ベースバンド受信部３０１は、低ノイズアンプ３１１及び３１２、ＡＤコンバータ３１３及び３１４、ＣＰ除去部３１５及び３１６、ＦＦＴ部３１７及び３１８、並びに、信号復調部３１９を有する。このベースバンド受信部３０１が、「受信部」の一例にあたる。
【００６０】
低ノイズアンプ３１１、ＡＤコンバータ３１３、ＣＰ除去部３１５及びＦＦＴ部３１７は、アンテナ３０５を介して受信した信号を処理する経路であり。また、低ノイズアンプ３１２、ＡＤコンバータ３１４、ＣＰ除去部３１６及びＦＦＴ部３１８は、アンテナ３０６及びデュプレクサ３０４を介して受信した信号を処理する経路である。それらは、同じ機能を有するので、低ノイズアンプ３１１、ＡＤコンバータ３１３、ＣＰ除去部３１５及びＦＦＴ部３１７を例に説明する。
【００６１】
低ノイズアンプ３１１は、アンテナ３０５を介してＲＲＨ２０が送信した信号を受信する。ここで、低ノイズアンプ３１２は、アンテナ３０６及びデュプレクサ３０４を介してＲＲＨ２０が送信した信号を受信する。このアンテナ３０５及び３０６で受信されたＲＦ信号は微弱電波である。そこで、低ノイズアンプ３１１は、取得したＲＦ信号を増幅する。そして、低ノイズアンプ３１１は、増幅したＲＦ信号をＡＤコンバータ３1３へ出力する。
【００６２】
ＡＤコンバータ３１３は、ＲＦ信号の入力を低ノイズアンプ３１１から受ける。そして、ＡＤコンバータ３１３は、取得したアナログ信号であるＲＦ信号をデジタル信号に変換する。その後、ＡＤコンバータ３１３は、デジタル信号に変換したＲＦ信号をＣＰ除去部３１５へ出力する。
【００６３】
ＣＰ除去部３１５は、ＲＦ信号の入力をＡＤコンバータ３１３から受ける。そして、ＣＰ除去部３１５は、取得したＲＦ信号からＣＰを除去する。そして、ＣＰ除去部３１５は、ＣＰを除去したＲＦ信号をＦＦＴ部３１７へ出力する。
【００６４】
ＦＦＴ部３１７は、ＲＦ信号をＣＰ除去部３１５から受信する。そして、ＦＦＴ部３１７は、受信したＲＦ信号にフーリエ変換処理を施す。その後、ＦＦＴ部３１７は、ＲＦ信号を信号復調部３１９へ出力する。
【００６５】
信号復調部３１９は、ＲＦ信号の入力をＦＦＴ部３１７及び３１８から受ける。そして、信号復調部３１９は、取得したＲＦ信号に対して復調を施してＯＦＤＭ信号であるベースバンド信号を生成する。そして、信号復調部３１９は、生成したベースバンド信号を音声、文字及び画像などのデータとして操作者に提供する。
【００６６】
周波数偏差算出部３０３は、周波数偏差を求めるためのリファレンスシンボルのマッピング位置を表すリファレンスシンボルパターンをＲＲＨ２０毎に予め有する。そして、周波数偏差算出部３０３は、ＲＲＨ２０から取得した信号の中でリファレンスシンボルがマッピングされたサブフレームを信号復調部３１９から取得する。そして、周波数偏差算出部３０３は、取得したサブフレームにマッピングされたリファレンスシンボルの位置と、その信号を送信したＲＲＨ２０に対応するリファレンスシンボルパターンとを比較する。
【００６７】
取得したサブフレームにマッピングされたリファレンスシンボルの位置がリファレンスシンボルパターンより１ステップ分の量以上遅れている場合、周波数偏差算出部３０３は、出力周波数の位相の増加を決定する。そして、周波数偏差算出部３０３は、増加を示す周波数偏差の情報をベースバンド送信部３０２のサブキャリアマッピング部３２２に通知する。
【００６８】
また、取得したサブフレームにマッピングされたリファレンスシンボルの位置がリファレンスシンボルパターンより１ステップ分の量以上進んでいる場合、周波数偏差算出部３０３は、出力周波数の位相の減少を決定する。そして、周波数偏差算出部３０３は、減少を示す周波数偏差の情報をベースバンド送信部３０２のサブキャリアマッピング部３２２に通知する。
【００６９】
また、取得したサブフレームにマッピングされたリファレンスシンボルの位置とリファレンスシンボルパターンとの間に１ステップ分の量以上のずれが無い場合、周波数偏差算出部３０３は、出力周波数の位相の保持を決定する。そして、周波数偏差算出部３０３は、保持を示す周波数偏差の情報をベースバンド送信部３０２のサブキャリアマッピング部３２２に通知する。
【００７０】
周波数偏差算出部３０３は、例えば、端末装置３０に搭載されたＣＰＵ及びメモリによって実現される。例えば、メモリは、周波数偏差算出部３０３の機能を実現するプログラムを含む各種を格納する。また、メモリは、ＲＲＨ２０毎のリファレンスシンボルパターンを記憶する。そして、ＣＰＵは、メモリに格納された各種プログラムを読み出し実行することで、周波数偏差算出部３０３の機能を実現する。
【００７１】
ベースバンド送信部３０２は、信号変調部３２１、サブキャリアマッピング部３２２、ＣＰ挿入部３２３、ＩＦＦＴ部３２４、ＤＡコンバータ３２５及びパワーアンプ３２６を有する。このベースバンド送信部３０２が、「送信部」の一例にあたる。
【００７２】
信号変調部３２１は、音声、文字及び画像などデータの入力を受ける。そして、信号変調部３２１は、取得したデータを変調しベースバンド信号を生成する。その後、信号変調部３２１は、生成したベースバンド信号をサブキャリアマッピング部３２２へ出力する。
【００７３】
サブキャリアマッピング部３２２は、ベースバンド信号の入力を信号変調部３２１から受ける。そして、サブキャリアマッピング部３２２は、取得したベースバンド信号を送信するための無線リソースを決定する。そして、サブキャリアマッピング部３２２は、決定した無線リソースにベースバンド信号をマッピングする。
【００７４】
また、サブキャリアマッピング部３２２は、周波数偏差の情報の入力を周波数偏差算出部３０３から受ける。そして、サブキャリアマッピング部３２２は、アップリンクのＰＵＳＣＨの予め決められたリソースブロックに周波数偏差の情報をマッピングする。
【００７５】
そして、サブキャリアマッピング部３２２は、無線リソースのマッピングを行ったベースバンド信号をＣＰ挿入部３２３へ出力する。ここで、周波数偏差の情報をマッピングしたＰＵＳＣＨの場合、サブキャリアマッピング部３２２は、周波数偏差の情報を含むベースバンド信号をＣＰ挿入部３２３へ出力する。
【００７６】
ＣＰ挿入部３２３は、ベースバンド信号の入力をサブキャリアマッピング部３２２から受ける。そして、ＣＰ挿入部３２３は、冗長データ系列であるＣＰをベースバンド信号に挿入する。その後、ＣＰ挿入部３２３は、ＣＰを挿入したベースバンド信号をＩＦＦＴ部３２４へ出力する。
【００７７】
ＩＦＦＴ部３２４は、ベースバンド信号の入力をＣＰ挿入部３２３から受ける。そして、ＩＦＦＴ部３２４は、取得したベースバンド信号に逆フーリエ変換処理を施しＲＦ信号を生成する。その後、ＩＦＦＴ部３２４は、ＲＦ信号をＤＡコンバータ３２５へ出力する。
【００７８】
ＤＡコンバータ３２５は、ＲＦ信号の入力をＩＦＦＴ部３２４から受ける。そして、ＤＡコンバータ３２５は、取得したデジタル信号であるＲＦ信号をアナログ信号に変換する。その後、ＤＡコンバータ３２５は、アナログ信号に変換したＲＦ信号をパワーアンプ３２６へ出力する。
【００７９】
パワーアンプ３２６は、ＲＦ信号の入力をＤＡコンバータ３２５から受ける。そして、パワーアンプ３２６は、取得したＲＦ信号を増幅し、デュプレクサ３０４へ出力する。
【００８０】
デュプレクサ３０４は、ＲＲＨ２０が送信した信号をアンテナ３０６を介して受信する。そして、デュプレクサ３０４は、受信した信号を低ノイズアンプ３１２へ出力する。また、デュプレクサ３０４は、ＲＲＨ２０へ送信するＲＦ信号の入力をパワーアンプ３２６から受ける。そして、デュプレクサ３０４は、取得したＲＦ信号をアンテナ３０６を介してＲＲＨ２０へ送信する。
【００８１】
次に、図６〜８を参照して、ローカル発振器２０２の出力周波数の調整について説明する。図６は、位相調整前の周波数偏差を説明するための図である。図７は、位相調整後のマスタ端末装置における周波数偏差を説明するための図である。図８は、位相調整後のマスタ端末装置以外の周波数偏差を説明するための図である。ここでは、端末装置３１をマスタ端末装置とした場合で説明する。そして、図６〜８における左側の図は、ＲＲＨ２１から送信された信号の検出状態を表す図である。また、図６〜８における右側の図は、ＲＲＨ２２から送信された信号の検出状態を表す図である。さらに、ここでは、周波数偏差算出部３０３により検出されるリファレンスシンボルのマッピングされた位置がリファレンスシンボルパターンとなる場合のＲＲＨ２０が送信する信号の周波数を基準周波数という。
【００８２】
位相調整前には、図６の左図に示すように、マスタ端末装置である端末装置３１は、シンボル点４０２でＲＲＨ２１から送信された信号を検出する。また、基準シンボル点４０１は、ＲＲＨ２１から基準周波数を有する信号が送信された場合の端末装置３１が検出するシンボル点である。すなわち、ＲＲＨ２１から送信された信号と基準周波数を有する信号との間には、角度θ１の位相のずれが存在する。
【００８３】
また、位相調整前には、図６の右図に示すように、マスタ端末装置である端末装置３１は、シンボル点４０４でＲＲＨ２２から送信された信号を検出する。そして、基準シンボル点４０３は、ＲＲＨ２２から基準周波数を有する信号が送信された場合の端末装置３１が検出するシンボル点である。すなわち、ＲＲＨ２２から送信された信号と基準周波数を有する信号との間には、角度θ２の位相のずれが存在する。
【００８４】
そこで、周波数偏差算出部３０３は、シンボル点４０２が基準シンボル点４０１に近づくように周波数偏差の情報を送信し、ＲＲＨ２１の周波数制御部２０１は、周波数偏差の情報にしたがってローカル発振器２０２の出力周波数を調整する。また、周波数偏差算出部３０３は、シンボル点４０４が基準シンボル点４０３に近づくように周波数偏差の情報を送信し、ＲＲＨ２２の周波数制御部２０１は、周波数偏差の情報にしたがってローカル発振器２０２の出力周波数を調整する。
【００８５】
周波数調整後には、図７に示すように、マスタ端末装置である端末装置３１において、ＲＲＨ２１から送信された信号が検出されるシンボル点４０２と基準シンボル点４０１とが一致する。また、マスタ端末装置である端末装置３１において、ＲＲＨ２２から送信された信号が検出されるシンボル点４０４と基準シンボル点４０３とが一致する。この状態は、言い換えれば、周波数偏差算出部３０３により取得したサブフレームにマッピングされたリファレンスシンボルの位置とリファレンスシンボルパターンとが一致した状態である。
【００８６】
ここで、ＤＰＳによる通信を行うＲＲＨ２０がＲＲＨ２１及び２２以外にある場合、周波数偏差算出部３０３は、ＤＰＳによる通信を行う全てのＲＲＨ２０からの送信信号を復号したシンボル点が基準シンボル点と一致するように調整する。
【００８７】
また、マスタ端末装置以外の端末装置３２は、周波数調整後には、図８に示すシンボル点４１１及び４１２で、ＲＲＨ２１及び２２からの信号を検出する。すなわち、端末装置３２における周波数偏差は、ＲＲＨ２１及び２２からの信号はシンボル点４１１及び４１２で検出され、いずれも基準シンボル点４０１及び４０３から同じ角度θ３の位相差を有する。
【００８８】
このことから、マスタ端末装置である端末装置３１及び端末装置３２を含むマスタ端末装置以外の端末装置３０の何れにおいても、ＢＢＵ１０に接続するいずれのＲＲＨ２０でも周波数偏差は一致する。すなわち、マスタ端末装置である端末装置３１及びマスタ端末装置以外の端末装置３０の何れにおいても、送信ポイントがＢＢＵ１０に接続するいずれのＲＲＨ２０に代わっても継続してＡＦＣ情報を利用することができる。
【００８９】
ここで、本実施例では、周波数制御部２０１は、ＲＲＨ２０からの送信信号が復号された場合のマスタ端末装置におけるシンボル点が基準シンボル点と一致するようにローカル発振器２０２の周波数を調整した。ただし、マスタ端末装置において各ＲＲＨ２０からの信号の周波数偏差が一致していれば、ＤＰＳによる通信のサービスを受ける端末装置３０のいずれにおいても周波数偏差が一致することになる。したがって、マスタ端末装置において各ＲＲＨ２０からの信号の周波数偏差が一致していれば、送信ポイントの切り替えが発生しても、いずれの端末装置３０も継続してＳＦＣ情報を利用することができる。すなわち、周波数制御部２０１は、マスタ端末装置において各ＲＲＨ２０からの信号の周波数偏差が一致するように制御すれば、ＲＲＨ２０からの送信信号が復号された場合のマスタ端末装置におけるシンボル点が基準シンボル点と一致しなくてもよい。
【００９０】
次に、図９を参照して、本実施例に係る無線通信システム１におけるローカル発振器２０２の出力周波数の制御の流れについて説明する。図９は、実施例に係る無線通信システムにおけるローカル発振器の出力周波数の制御のシーケンス図である。実際には、ＢＢＵ１０と端末装置３０との間における信号の送受信はＲＲＨ２０を介して行われるが、図９では、説明の都合上、ＢＢＵ１０と端末装置３０とがＲＲＨ２０を介さず直接通信を行うように記載した。そこで、以下の説明でも、図に合わせて、端末装置３０とＢＢＵ１０とが直接通信を行うように説明する。
【００９１】
ＢＢＵ１０のベースバンド送信部１０１は、下り共通チャネルを無線通信システム１へ送信する（ステップＳ１）。
【００９２】
その後、端末装置３０のベースバンド受信部３０１は、通知された下り共通チャネルを用いてセルサーチを実行し（ステップＳ２）、接続対象となるセルを検出する。
【００９３】
セルサーチ完了後、端末装置３０のベースバンド受信部３０１は、検出したセルから報知情報を取得する（ステップＳ３）。そして、端末装置３０は、接続する基地局装置を選択する。ここでは、図９におけるＲＲＨ２０及びＢＢＵ１０を有する基地局装置が選択された場合で説明する。
【００９４】
その後、端末装置３０のベースバンド送信部３０２は、ＲＡＣＨ  ｐｒｅａｍｂｌｅをＢＢＵ１０へ送信する（ステップＳ４）。
【００９５】
ＢＢＵ１０のベースバンド受信部１０２は、ＲＡＣＨ  ｐｒｅａｍｂｌｅを端末装置３０から受信する。そして、ベースバンド送信部１０１は、ＲＡＣＨ  ｒｅｓｐｏｎｓｅを端末装置３０へ送信する（ステップＳ５）。
【００９６】
端末装置３０のベースバンド受信部３０１は、ＲＡＣＨ  ｒｅｓｐｏｎｓｅをＢＢＵ１０から受信する。そして、ベースバンド送信部３０２は、ＲＲＣ  ｃｏｎｎｅｃｔｉｏｎ  ｒｅｑｕｅｓｔをＢＢＵ１０へ送信する（ステップＳ６）。
【００９７】
ＢＢＵ１０のベースバンド受信部１０２は、ＲＲＣ  ｃｏｎｎｅｃｔｉｏｎ  ｒｅｑｕｅｓｔを端末装置３０から受信する。そして、ベースバンド送信部１０１は、ＲＲＣ  ｃｏｎｎｅｃｔｉｏｎ  ｓｅｔｕｐを端末装置３０へ送信する（ステップＳ７）。
【００９８】
次に、ＢＢＵ１０の制御情報通知部１０３は、端末装置３０をマスタ端末装置として決定する（ステップＳ８）。
【００９９】
マスタ端末装置とされた端末装置３０の周波数偏差算出部３０３は、ＲＲＨ２０から送信された信号にマッピングされたリファレンスシンボルと予め決められたリファレンスシンボルパターンとを比較して周波数偏差を算出する（ステップＳ９）。
【０１００】
次に、周波数偏差算出部３０３は、算出した周波数偏差の情報をベースバンド送信部３０２のサブキャリアマッピング部３２２へ送信する。ベースバンド送信部３０２のサブキャリアマッピング部３２２は、アップリンクのＰＵＳＣＨの予め決められたリソースブロックに周波数偏差の情報をマッピングする。そして、ベースバンド送信部３０２は、周波数偏差をＢＢＵ１０へ通知する（ステップＳ１０）。
【０１０１】
ＢＢＵ１０のベースバンド受信部１０２の信号復調部１２５は、端末装置３０から送信された信号を復調する。制御情報通知部１０３は、ＰＵＳＣＨを信号復調部１２５から取得する。その後、制御情報通知部１０３は、ＰＵＳＣＨからマスタ端末装置である端末装置３０におけるＲＲＨ２０の周波数偏差の情報を取得する。そして、制御情報通知部１０３は、マスタ端末装置である端末装置３０におけるＲＲＨ２０の周波数偏差をＲＲＨ２０へ通知する（ステップＳ１１）。
【０１０２】
ＲＲＨ２０の周波数制御部２０１は、周波数偏差の情報をＢＢＵ１０の制御情報通知部１０３から取得する。そして、周波数制御部２０１は、周波数偏差の情報にしたがってローカル発振器２０２の出力周波数を調整する（ステップＳ１２）。
【０１０３】
マスタ端末装置とされた端末装置３０の周波数偏差算出部３０３は、ＲＲＨ２０から送信された信号にマッピングされたリファレンスシンボルと予め決められたリファレンスシンボルパターンとを比較して周波数偏差を算出する（ステップＳ１３）。
【０１０４】
同様にその後も、周波数偏差算出部３０３は、算出した周波数偏差の情報をベースバンド送信部３０２のサブキャリアマッピング部３２２へ送信する。ベースバンド送信部３０２のサブキャリアマッピング部３２２は、アップリンクのＰＵＳＣＨの予め決められたリソースブロックに周波数偏差の情報をマッピングする。そして、ベースバンド送信部３０２は、周波数偏差をＢＢＵ１０へ通知する（ステップＳ１４）。
【０１０５】
ＢＢＵ１０のベースバンド受信部１０２の信号復調部１２５は、端末装置３０から送信された信号を復調する。制御情報通知部１０３は、ＰＵＳＣＨを信号復調部１２５から取得する。その後、制御情報通知部１０３は、ＰＵＳＣＨからマスタ端末装置である端末装置３０におけるＲＲＨ２０の周波数偏差の情報を取得する。そして、制御情報通知部１０３は、マスタ端末装置である端末装置３０におけるＲＲＨ２０の周波数偏差をＲＲＨ２０へ通知する（ステップＳ１５）。
【０１０６】
ＲＲＨ２０の周波数制御部２０１は、周波数偏差の情報をＢＢＵ１０の制御情報通知部１０３から取得する。そして、周波数制御部２０１は、周波数偏差の情報にしたがってローカル発振器２０２の出力周波数を調整する（ステップＳ１６）。図９では、リファレンスシンボルによる周波数偏差の算出から出力周波数の調整までの処理を２回繰り返した状態を記載したが、これらの処理は予め決められた間隔（例えば、１０ｍｓ）で繰り返される。
【０１０７】
ＢＢＵ１０の送信ポイント管理部１０４は、送信ポイント切り替え判定を行う（ステップＳ１７）。そして、送信ポイントの切り替えを決定した場合、送信ポイント管理部１０４は、送信ポイントの切り替えを行い、端末装置３０に対する送信ポイントであるＲＲＨ２０を変更する（ステップＳ１８）。
【０１０８】
同様に、その後も、ＢＢＵ１０の送信ポイント管理部１０４は、送信ポイント切り替え判定を行う（ステップＳ１９）。そして、送信ポイントの切り替えを決定した場合、送信ポイント管理部１０４は、送信ポイントの切り替えを行い、端末装置３０に対する送信ポイントであるＲＲＨ２０を変更する（ステップＳ２０）。図９では、送信ポイント切り替え判定処理及び判定に応じた送信ポイント切り替え処理を２回記載したが、これらの処理は継続的に繰り返される。また、リファレンスシンボルによる周波数偏差の算出から出力周波数の調整までの処理と送信ポイント切り替え判定処理及び判定に応じた送信ポイント切り替え処理とは並行して実施される。
【０１０９】
ここで、端末装置３０のベースバンド送信部３０２は、呼切断を行う（ステップＳ２１）。そして、端末装置３０のベースバンド送信部３０２は、呼切断情報をＢＢＵ１０へ送信する（ステップＳ２２）。
【０１１０】
ＢＢＵ１０のベースバンド受信部１０２は、呼切断情報を端末装置３０から受信する。そして、ベースバンド受信部１０２は、マスタ端末装置である端末装置３０の呼切断を制御情報通知部１０３に通知する。制御情報通知部１０３は、マスタ端末装置である端末装置３０の呼切断の通知を受けて、新たなマスタ端末装置の決定を実行する（ステップＳ２３）。この後、ＢＢＵ１０、ＲＲＨ２０及び端末装置３０は、リファレンスシンボルによる周波数偏差の算出から出力周波数の調整までの処理と送信ポイント切り替え判定処理及び判定に応じた送信ポイント切り替え処理を繰り返す。
【０１１１】
ここで、以上の説明では、周波数制御部２０１は、段階的にローカル発振器２０２の出力周波数を変更してフィードバック制御を行ったが、出力周波数の制御方法はこれに限らない。例えば、端末装置３０の周波数偏差算出部３０３は、現在の出力周波数と基準周波数との位相差を求め、求めた位相差をＢＢＵ１０へ送信する。そして、ＲＲＨ２０の周波数制御部２０１は、ＢＢＵ１０から現在の出力周波数と基準周波数との位相差を取得し、取得した位相差分の増減をローカル発振器２０２の出力周波数に加えてもよい。
【０１１２】
以上に説明したように、本実施例に係る端末装置は、基地局装置から送信されたリファレンスシンボルのマッピング状態から自装置の周波数偏差を算出し基地局装置へ通知する。そして、本実施例に係る基地局装置は、マスタ端末装置における周波数偏差の情報を用いて、各ＲＲＨのローカル発振器の出力周波数を所定の周波数に調整する。すなわち、各ＲＲＨからの信号を復調した場合、いずれのシンボル点も、マスタ端末装置において所望の位置となる。また、各ＲＲＨからの信号を復調したシンボル点は、マスタ端末装置以外の端末装置毎に同じ位置となる。
【０１１３】
これにより、ＲＲＨからの信号を復調した場合のシンボル点は、送信ポイントが切り替わった場合でも各端末装置において同じシンボル点となり、各端末装置は、送信ポイントが切り替え後も使用しているＡＦＣ情報を継続して使用することができる。したがって、送信ポイントが切り替わった場合に、各端末装置においてＡＦＣ制御を追従させる処理を省くことができ、スループットの低下を軽減することができる。
【符号の説明】
【０１１４】
１  無線通信システム
１０  ＢＢＵ
２０，２１，２２  ＲＲＨ
２３，２４  セル
３０，３１，３２  端末装置
４０  ＥＰＣ
１０１  ベースバンド送信部
１０２  ベースバンド受信部
１０３  制御情報通知部
１０４  送信ポイント管理部
１１１  信号変調部
１１２，１１３  サブキャリアマッピング部
１１４，１１５  ＣＰ挿入部
１１６，１１７  ＩＦＦＴ部
１２１，１２２  ＦＦＴ部
１２３，１２４  ＣＰ除去部
１２５  信号復調部
２０１  周波数制御部
２０２  ローカル発振器
２１１  ＤＡコンバータ
２１２  ミキサ
２１３  フィルタ
２１４  パワーアンプ
２２１  低ノイズアンプ
２２２  フィルタ
２２３  ミキサ
２２４  ＡＤコンバータ
２３１  デュプレクサ
２３２  アンテナ
３０１  ベースバンド受信部
３０２  ベースバンド送信部
３０３  周波数偏差算出部
３０４  デュプレクサ
３０５，３０６  アンテナ
３１１，３１２  低ノイズアンプ
３１３，３１４  ＡＤコンバータ
３１５，３１６  ＣＰ除去部
３１７，３１８  ＦＦＴ部
３１９  信号復調部
３２１  信号変調部
３２２  サブキャリアマッピング部
３２３  ＣＰ挿入部
３２４  ＩＦＦＴ部
３２５  ＤＡコンバータ
３２６  パワーアンプ
【図１】
2018061098.tif 000003
【図２】
2018061098.tif 000004
【図３】
2018061098.tif 000005
【図４】
2018061098.tif 000006
【図５】
2018061098.tif 000007
【図６】
2018061098.tif 000008
【図７】
2018061098.tif 000009
【図８】
2018061098.tif 000010
【図９】
2018061098.tif 000011